(57)【要約】【課題】品質検査装置に異常が発生した場合でも印刷ジョブを続行することが可能な画像形成システムおよびデータ管理方法を提供する。【解決手段】画像形成システムは、印刷ジョブの実行により用紙に画像を形成する画像形成装置と、画像が形成された用紙上の画像を読み取る画像読取装置と、画像読取装置の読み取り結果に基づいて用紙上の画像の品質検査を行う品質検査装置とを備え、品質検査装置に異常が発生した場合、画像読取装置によって読み取られた画像のデータを含み品質検査で用いられる検査画像データを品質検査装置以外で保存し、印刷ジョブを続行する制御を行う制御部を備える。【選択図】図４
2019202485.tif 000002
【特許請求の範囲】
【請求項１】
印刷ジョブの実行により用紙に画像を形成する画像形成装置と、前記画像が形成された前記用紙上の前記画像を読み取る画像読取装置と、前記画像読取装置の読み取り結果に基づいて前記用紙上の前記画像の品質検査を行う品質検査装置と、を備えた画像形成システムであって、
前記品質検査装置に異常が発生した場合、前記画像読取装置によって読み取られた前記画像のデータを含み前記品質検査で用いられる検査画像データを前記品質検査装置以外で保存し、前記印刷ジョブを続行する制御を行う制御部を備える、
画像形成システム。
【請求項２】
前記制御部は、前記品質検査装置に前記異常が発生した場合に前記検査画像データを取得し、前記品質検査装置の前記異常が解消された場合、該取得された前記検査画像データを前記品質検査装置に取得させる、
請求項１に記載の画像形成システム。
【請求項３】
前記制御部は、取得された前記検査画像データをデータ格納部に格納し、前記品質検査装置が正常状態になった場合、前記データ格納部に格納されている前記検査画像データを前記品質検査装置に転送する、
請求項２に記載の画像形成システム。
【請求項４】
前記データ格納部は、前記画像形成装置内に備えられている、
請求項３に記載の画像形成システム。
【請求項５】
前記データ格納部は、前記画像形成装置と通信可能な、前記品質検査装置以外の外部端末内に備えられ、
前記制御部は、取得された前記検査画像データを前記外部端末に転送し、前記品質検査装置が正常状態になった場合、当該転送した検査画像データを前記品質検査装置に転送するように前記外部端末を制御する、
請求項３に記載の画像形成システム。
【請求項６】
前記制御部は、前記品質検査装置の前記異常が解消された場合、前記品質検査の処理を再開するように前記品質検査装置を制御する、
請求項１から５のいずれかに記載の画像形成システム。
【請求項７】
前記制御部は、取得された前記検査画像データを前記品質検査装置以外の、前記画像形成装置と通信可能な第２の品質検査装置に転送して、前記品質検査の処理を実行するように、前記第２の品質検査装置を制御する、
請求項１から５のいずれかに記載の画像形成システム。
【請求項８】
前記品質検査の処理の結果に応じて、該品質検査が行われた前記用紙の排出先を切替え可能な複数の排紙トレイを備えた後処理装置を有する、
請求項１から７のいずれかに記載の画像形成システム。
【請求項９】
前記制御部は、前記品質検査装置に前記異常が発生した場合、前記画像形成部で前記画像が形成された前記用紙の排出先を変更するように前記後処理装置を制御する、
請求項８に記載の画像形成システム。
【請求項１０】
前記制御部は、前記品質検査装置に前記異常が発生した場合、前記品質検査の処理を実行する、
請求項１〜５、８、および９のいずれかに記載の画像形成システム。
【請求項１１】
前記制御部は、前記画像形成装置内に設けられ、前記品質検査装置に前記異常が発生した場合、前記用紙に前記画像を形成する処理に対する制御のリソースの一部を前記品質検査の処理に割り当てて、前記品質検査の処理を実行する、
請求項１０に記載の画像形成システム。
【請求項１２】
前記制御部は、前記品質検査装置に前記異常が発生した場合、ユーザーの指示に応じて、前記品質検査装置の前記異常が解消された後に前記画像の品質検査を再開する第１処理、または、前記制御部により前記品質検査の処理を実行する第２処理を実行する、
請求項１１に記載の画像形成システム。
【請求項１３】
前記検査画像データには、前記読取り画像データとの比較対象となる参照画像データを含み、
前記画像形成装置は、入力された前記読取り画像データと前記参照画像データとを各々２分岐して前記制御部および前記品質検査装置に供給する中継装置に接続されている、
請求項１から１２のいずれかに記載の画像形成システム。
【請求項１４】
前記品質検査装置の電源がダウンした場合、前記画像形成装置から前記中継装置に電力を供給する電源制御部を備える、
請求項１３に記載の画像形成システム。
【請求項１５】
印刷ジョブの実行により用紙に画像を形成する画像形成装置と、前記画像が形成された前記用紙上の前記画像を読み取る画像読取装置と、前記画像読取装置の読み取り結果に基づいて前記用紙上の前記画像の品質検査を行う品質検査装置と、を備えた画像形成システムにおけるデータ管理方法であって、
前記品質検査装置に異常が発生した場合、前記画像読取装置によって読み取られた前記画像のデータを含み前記品質検査で用いられる検査画像データを前記品質検査装置以外で保存し、前記印刷ジョブを続行する、
データ管理方法。
【発明の詳細な説明】
【技術分野】
【０００１】
本発明は、画像形成システムおよびデータ管理方法に関する。
【背景技術】
【０００２】
従来、トナー像を用紙上に形成する電子写真方式の画像形成装置（複写機、プリンター、ファクシミリ、これらの複合機）と、スキャナー等を備えた出力画像読取装置と、をインラインでまたは一体に連結した装置ないしシステムがある。ここで、出力画像読取装置は、画像形成装置によって出力された出力物（すなわち用紙上の画像、以下同様。）をスキャナー等で読み取り、色や位置ずれの情報を画像形成装置にフィードバックし、画像を補正するための後処理装置として機能する。この後処理装置が異常発生した際の公知技術としては、後処理の実行が可能であるか否かを事前に確認し、処理ができないと判断した場合には、印刷ジョブを実行しない事でヤレ紙の発生を抑えるものがある。例えば、特許文献１記載の技術では、後処理の実行が可能であるか否かを後処理装置において判断し、画像が印刷される用紙の紙質等の属性に応じて後処理を確実に行う。
【先行技術文献】
【特許文献】
【０００３】
【特許文献１】特開２００２−９９１８２号公報
【発明の概要】
【発明が解決しようとする課題】
【０００４】
近年では、画像形成装置と出力画像読取装置のシステムに加え、画像形成装置によって出力された出力物の品質を自動で検査する品質検査装置（自動検品装置とも呼ばれる。）をインラインでまたは一体的に備えたシステムが提案されている。ここで、品質検査装置は、検査用のデータ（検査画像データ）に基づいて検品ジョブを実行して、出力物の品質の検査（検品）を行うものである。ここで、検査画像データは、参照用ないし正解画像としてのリファレンスデータと、実際に印刷された出力物の画像情報（出力画像読取装置の読取画像データ）と、が用いられる。すなわち、品質検査装置は、検品ジョブの実行時に、画像形成装置に入力される入力画像データをリファレンスデータとして取得するとともに、出力画像読取装置で読み取られた出力物の画像情報（読取画像データ）も取得する。そして、品質検査装置は、取得された読取画像データと、それに対応するリファレンスデータとを比較することで、用紙に印刷された画像の品質の良否を検査する。かかるシステム（以下、画像形成システムという。）によれば、画像形成装置によって出力された出力物（用紙上の画像）が顧客の要望通りの品質で印刷されているか否か、を自動で検査ないし検品することができる。
【０００５】
ところで、上記のような画像形成システムでは、品質検査装置に異常（例えば電源ダウンやソフトウエア上の不具合など）が発生したような場合に、上述した検品ジョブが中断される（すなわち異常終了される）ことになる。ここで、検品ジョブが中断（異常終了）された場合でも、システム構成等によっては画像形成装置の印刷ジョブ（以下、本体処理ともいう。）自体は続行できる場合がある。また、検品ジョブが中断された場合に、本体処理まで止めてしまうと、ユーザーのダウンタイムを増やすことになるため、できる限り本体処理を継続させることが望ましい。
【０００６】
しかしながら、品質検査装置に異常が発生した場合に、検品ジョブを中断させたまま本体処理だけ継続すると、検品ジョブの中断後に印刷された出力物についての検品ジョブの再開に関する種々の設定操作を行う必要があり、作業が煩雑化していた。そして、従来の画像形成システムでは、かかる作業の煩雑化を考慮すると、品質検査装置の異常により検品ジョブが中断（異常終了）された場合、本体処理も併せて中断した方がトータルの作業効率の点で良いことが多いため、結局、本体処理の中断（中止）を余儀なくされていた。
【０００７】
本発明の目的は、品質検査装置に異常が発生した場合でも印刷ジョブを続行することが可能な画像形成システムおよびデータ管理方法を提供することである。
【課題を解決するための手段】
【０００８】
本発明に係る画像形成システムは、
印刷ジョブの実行により用紙に画像を形成する画像形成装置と、前記画像が形成された前記用紙上の前記画像を読み取る画像読取装置と、前記画像読取装置の読み取り結果に基づいて前記用紙上の前記画像の品質検査を行う品質検査装置と、を備えた画像形成システムであって、
前記品質検査装置に異常が発生した場合、前記画像読取装置によって読み取られた前記画像のデータを含み前記品質検査で用いられる検査画像データを前記品質検査装置以外で保存し、前記印刷ジョブを続行する制御を行う制御部を備える。
【０００９】
本発明に係るデータ管理方法は、
印刷ジョブの実行により用紙に画像を形成する画像形成装置と、前記画像が形成された前記用紙上の前記画像を読み取る画像読取装置と、前記画像読取装置の読み取り結果に基づいて前記用紙上の前記画像の品質検査を行う品質検査装置と、を備えた画像形成システムにおけるデータ管理方法であって、
前記品質検査装置に異常が発生した場合、前記画像読取装置によって読み取られた前記画像のデータを含み前記品質検査で用いられる検査画像データを前記品質検査装置以外で保存し、前記印刷ジョブを続行する。
【発明の効果】
【００１０】
本発明によれば、品質検査装置に異常が発生した場合でも印刷ジョブを続行することができる。
【図面の簡単な説明】
【００１１】
【図１】本実施の形態における画像形成システムの全体構成を概略的に示す図である。
【図２】本実施の形態における画像形成システムにおける制御系の主要部を示すブロック図である。
【図３】検品ジョブの処理の流れを説明するフローチャートである。
【図４】検品ジョブの実行中に検査装置に異常が発生した場合の処理を説明するフローチャートである。
【発明を実施するための形態】
【００１２】
以下、本実施の形態を、図面を参照して詳細に説明する。図１は、本発明の実施の形態における画像形成システム１の全体構成を概略的に示す図である。図２は、本実施の形態における画像形成システム１を構成する各装置間での信号の流れ等を説明するための制御系の主要部である。
【００１３】
図１および図２に示す画像形成システム１は、画像形成装置２０によって用紙Ｓに画像を形成（出力）した後、当該用紙Ｓの画像を読み取り、当該読み取り結果に基づいて出力画像の品質の良否を検査し、検査結果に応じた排出先（トレイ）に用紙Ｓを排出するものである。
【００１４】
図１に示すように、画像形成システム１は、入力画像データに基づく画像を用紙Ｓに形成する画像形成装置２０、画像形成装置２０に用紙Ｓを給紙する給紙装置１０、画像形成装置２０から排紙された用紙Ｓの画像を読み取る画像読取装置３０、複数の排紙トレイ（４２，４３）を有する後処理装置４０を備える。
【００１５】
画像形成システム１では、用紙Ｓの搬送方向の上流側から、給紙装置１０、画像形成装置２０、画像読取装置３０、および後処理装置４０が順に物理的に接続される（装置本体同士が連結される）ことにより、用紙Ｓの搬送経路Ｐがこれら複数の装置間に連なって構成される。この搬送経路Ｐは、後処理装置４０の仕分け部４１によって、下方の排紙トレイ４２に連なる経路Ｐ１と、上方の排紙トレイ４３に連なる経路Ｐ２と、に分岐される。
【００１６】
簡明のため、図１では、画像形成装置２０内の搬送経路Ｐを１本の線で示しているが、実際の画像形成装置２０では、両面印刷のための両面搬送路が設けられている。また、簡明のため、図１では、後処理装置４０内で分岐される経路をＰ１およびＰ２の２本としたが、排紙トレイの数などに応じて、より多くの分岐経路を設けることができる。
【００１７】
給紙装置１０は、種々のサイズや紙種の用紙Ｓを収容することができる。給紙装置１０は、収容（積載）された用紙Ｓを１枚ずつ給紙するための給紙ローラー、給紙ローラーを駆動するモーターなどを有する。
【００１８】
画像形成装置２０は、電子写真プロセス技術を利用した中間転写方式の画像形成部２１を有する。この例では、画像形成部２１は、図示しない感光体ドラム上に形成されたＹ（イエロー）、Ｍ（マゼンタ）、Ｃ（シアン）、Ｋ（ブラック）の各色トナー像を中間転写ベルト（図示せず）に一次転写し、中間転写ベルト上で４色のトナー像を重ね合わせた後、用紙Ｓに二次転写することにより、トナー像を形成する。また、用紙Ｓの搬送方向における画像形成部２１の下流側には、トナー像が二次転写され、搬送されてきた用紙Ｓを加熱および加圧して、用紙Ｓにトナー像を定着させる定着部２２が配置されている。これら画像形成部２１および定着部２２は、公知の構成であるため、詳細な説明を省略する。また画像形成装置２０における画像形成の方式は、上記の方式に限られるものではなく、他の種々の方式が適用可能である。
【００１９】
画像形成装置２０は、図２に示すように、かかる画像形成装置２０全体の制御を司る制御部２００を備える。制御部２００は、図示しないＣＰＵ（Central  Processing  Unit）、ＲＯＭ（Read  Only  Memory）、ＲＡＭ（Random  Access  Memory）等を備え、上述した画像形成部２１および定着部２２の他、画像形成装置２０に備えられる各部の動作を制御する。すなわち、制御部２００のＣＰＵは、ＲＯＭから処理内容に応じたプログラムを読み出してＲＡＭに展開し、展開したプログラムと協働して、画像形成部２１、定着部２２および画像形成装置２０内の他のブロックの動作を集中制御する。
【００２０】
画像形成装置２０に備えられる他のブロックとしては、入力画像データに対して階調補正などの種々の補正を行う画像処理部、用紙Ｓを搬送する複数の搬送ローラーを駆動する用紙搬送部、通信ネットワーク等を通じて外部装置と通信する通信部、ユーザーの入力操作を受け付け且つ装置の状態等を表示する操作表示部などが挙げられる。これらは公知の構成であるため、図示および説明を省略する。
【００２１】
本実施の形態において、画像形成装置２０の制御部２００は、上述した各ブロックを制御するとともに、図２に示すように、装置状態判定部２１０、検査結果判定部２２０、および電源制御部２３０としての機能を有する。制御部２００におけるこれらの機能については後述する。
【００２２】
画像読取装置３０は、図１および図２に示すように、画像形成装置２０から排紙された用紙Ｓの画像（トナー像）を光学的に読み取る出力画像読取部３１を有する。具体的には、出力画像読取部３１は、用紙Ｓを光学的に走査し、用紙Ｓからの反射光を図示しないＣＣＤ（Charge Coupled Device）センサーの受光面上に結像させて、用紙Ｓの両面の画像を読み取り、読取結果に基づいて読取画像データを生成する。生成された読取画像データは、画像形成装置２０の制御部２００と、後述する品質検査装置５０の両方に入力される。
【００２３】
後処理装置４０は、図１および図２に示すように、画像読取装置３０によって画像が読み取られた用紙Ｓを搬送する搬送ローラー、かかる用紙Ｓを排出する複数の排紙トレイ４２，４３、および、用紙Ｓの排出先（搬送ルート）を切り替える仕分け部４１を備える。簡明のため、図２では、２つの排紙トレイ４２，４３を備えた構成を例示するが、排紙トレイの数は任意であり、より多くの排紙トレイを設けてもよい。仕分け部４１は、用紙Ｓの排出先（搬送ルート）を経路Ｐ１と経路Ｐ２のいずれかに切り替える切り替えゲート、切り替えゲートを駆動するソレノイド等の駆動源、画像形成装置２０および品質検査装置５０とデータの送受信を行うためのインターフェースなどを備える。
【００２４】
図２に示すように、画像形成システム１は、画像読取装置３０によって生成された読取画像データに基づいて、用紙Ｓに形成（出力）された出力画像の品質の良否を検査する品質検査装置５０を備える。この品質検査装置５０は、ＣＰＵなどのハードウェアプロセッサやＲＯＭ、後述するデータ格納部５１などを備え、ＲＯＭに格納されたプログラムをＣＰＵが読み出して実行することにより、出力画像の品質の良否を検査するジョブ（以下、検品ジョブという）を実行する。
【００２５】
品質検査装置５０は、例えば、画像読取装置３０や後処理装置４０、さらには画像形成装置２０等の筐体内に物理的に組み込まれることができ、または、これら装置とは物理的に独立した装置として構成することもできる。図２に示す例では、品質検査装置５０は、後者すなわち物理的に独立した装置であり、画像形成装置２０の後述する制御部２００等に電気的に接続された構成となっている。
【００２６】
また、画像形成システム１は、図２に示すように、入力画像データおよび印刷条件（印刷の方法や部数などの種々のユーザー設定値）のデータをリファレンスデータ（参照画像ないし正解画像のデータ）として画像形成装置２０等に供給するためのＰＣ（パーソナルコンピューター）６０を備える。
【００２７】
さらに、図２に示す画像形成システム１では、オプション装置ないし品質検査装置５０の付属装置として、中継装置８０が設けられている。中継装置８０は、ＰＣ６０、画像形成装置２０、画像読取装置３０、および品質検査装置５０に対して電気的に接続され、ＰＣ６０から送信されたリファレンスデータを２分岐して、同一のリファレンスデータを、画像形成装置２０の制御部２００および品質検査装置５０に送信する。また、中継装置８０は、画像読取装置３０の後述する出力画像読取部３１から送信された読取画像データを２分岐して、同一の読取画像データを、画像形成装置２０の制御部２００および品質検査装置５０に送信する。
【００２８】
さらに、図２に示すように、画像形成システム１は、上述したリファレンスデータ（参照画像データ）または読取画像データを格納するためのデータ格納部５１，５２，５３を備える。このうち、データ格納部５１は、品質検査装置５０の一部であり、主にリファレンスデータを一時的に記憶するために用いられる。他方、データ格納部５２，５３は、図２に示す例では、画像形成装置２０の本体（筐体）内に設けられ、図示しないインターフェースを介して、制御部２００および品質検査装置５０のＣＰＵに接続されている。このうち、データ格納部５２はリファレンスデータを格納し、データ格納部５３は読取画像データを格納する。これらデータ格納部５１，５２，５３は、ＨＤＤや半導体のメモリーなど、各種のデータ記憶媒体を使用することができる。
【００２９】
なお、他の構成例として、データ格納部５２および５３は、画像形成装置２０と通信可能な他の外部装置（例えばネットワークサーバーや中継装置など）内に設けてもよい。
【００３０】
次に、図３のフローチャートを参照して、品質検査装置５０が実行する検品ジョブの処理の流れについて説明する。
【００３１】
ステップＳ１０において、品質検査装置５０（図２に示すＣＰＵ、以下同じ。）は、画像形成装置２０による印刷ジョブの実行に伴って、上述したリファレンスデータ（参照画像データ）を取得する。本実施の形態では、品質検査装置５０は、ＰＣ６０から送信されるリファレンスデータを、中継装置８０を通じて受信し、受信したリファレンスデータをデータ格納部５１に格納する。なお、他の構成例として、中継装置８０が設けられていない場合には、品質検査装置５０は、リファレンスデータを、ＰＣ６０から直接受信してもよく、あるいは画像形成装置２０を通じて受信してもよい。
【００３２】
ステップＳ２０において、品質検査装置５０は、画像読取装置３０の出力画像読取部３１によって読み取られた読取画像データを取得する。本実施の形態では、品質検査装置５０は、画像読取装置３０から送信される読取画像データを、中継装置８０を通じて受信する。なお、他の構成例として、中継装置８０が設けられていない場合には、品質検査装置５０は、読取画像データを画像読取装置３０から直接受信してもよく、あるいは画像形成装置２０を通じて受信してもよい。
【００３３】
ステップＳ３０において、品質検査装置５０は、ステップＳ２０で取得された読取画像データを、ステップＳ１０で取得された対応するリファレンスデータと比較することによって、参照画像（正解画像）と読取画像の同一性を検査する。
【００３４】
ステップＳ４０において、品質検査装置５０は、読取画像データの画像品質が合格（ＯＫ）か否かを判定する。かかる判定の処理は、正解画像と読取画像の同一性（画像欠陥）に関する項目および合否の基準値（閾値）等によって異なるものとなり、これらは公知の手法と同様であるため、詳述を省略する。ここで、品質検査装置５０は、読取画像データの画像品質が合格（ＯＫ）と判定した場合（ステップＳ４０、ＹＥＳ）、ステップＳ５０に移行する。他方、品質検査装置５０は、読取画像データの画像品質が不合格（ＮＧ）と判定した場合（ステップＳ４０、ＮＯ）、ステップＳ６０に移行する。
【００３５】
ステップＳ５０において、品質検査装置５０は、当該合格となった読取画像データに対応する用紙Ｓを、予め設定された第１トレイ（例えば図１の排紙トレイ４２）に出力（排出）するように、後処理装置４０に通知する。
【００３６】
ステップＳ６０において、品質検査装置５０は、当該不合格となった読取画像データに対応する用紙Ｓを、予め設定された第２トレイ（例えば図１の排紙トレイ４３）に出力（排出）するように、後処理装置４０に通知する。
【００３７】
ステップＳ５０およびまたはステップＳ６０の通知を受けた後処理装置４０は、対象となる用紙Ｓを該当する排紙トレイ（４２または４３）に排出するように、仕分け部４１の切り替えゲートを駆動する。
【００３８】
他の例として、品質検査装置５０は、読取画像データの画像品質の合格または不合格の別を画像形成装置２０の制御部２００に通知し、対応する用紙Ｓの排出先（排紙トレイ４２または４３の別）を制御部２００から後処理装置４０に指示してもよい。
【００３９】
品質検査装置５０は、検品ジョブが完遂されるまで、上述したステップＳ２０〜ステップＳ６０の処理を繰り返し行い、検品ジョブが完了（完遂）された場合、検品結果を画像形成装置２０に送信して、検品ジョブを正常に終了する。典型的には、品質検査装置５０は、画像形成装置２０が印刷ジョブの実行で印刷した全ての印刷物に対して上述したステップＳ２０〜ステップＳ６０の処理を繰り返し行うことで、検品ジョブを継続的に実行した後、上述のように正常に終了する。
【００４０】
ところで、このようなシステムにおいて、品質検査装置５０側に異常が発生して品質検査（検品ジョブ）が終了される場合（いわゆる異常終了の場合）、画像形成装置２０による印刷ジョブの実行中に検品ジョブが中断されて、検品ジョブを完遂（再開等）するために煩雑な手間が生じる場合がある。
【００４１】
例えば、品質検査装置５０の電源がダウンした場合、あるいは品質検査装置５０によって実行されているソフトウエアに不具合が発生したような場合、画像形成装置２０による印刷ジョブ（すなわち本体処理）は続行できるが、品質検査装置５０の検品ジョブは強制的に中断される。ここで、検品ジョブが中断された場合に、本体処理まで止めてしまうと、ユーザーのダウンタイムを増やすことになるため、できる限り本体処理を継続させることが望ましい。
【００４２】
しかしながら、品質検査装置５０に異常が発生した場合に、検品ジョブを中断させたまま本体処理（印刷ジョブ）だけ継続すると、検品ジョブの中断後に印刷された出力物についての検品ジョブの再開に関する種々の設定操作を行う必要があり、作業が煩雑化していた。そして、従来のシステムでは、このような作業の煩雑化を考慮すると、品質検査装置５０に異常が発生して検品ジョブが中断された場合には、本体処理も併せて中断した方がトータルの作業効率の観点からは良いことが多かったため、結局、本体処理の中止を余儀なくされていた。
【００４３】
そこで、本実施の形態では、画像形成装置２０の制御部２００は、品質検査装置５０に異常が発生した場合、画像読取装置３０によって読み取られた画像のデータを含み品質検査で用いられる検査画像データを品質検査装置５０以外で保存して、印刷ジョブを続行する制御を行う。
【００４４】
より具体的には、制御部２００は、品質検査装置５０に異常が発生して検品ジョブが中断された場合（すなわち異常終了された場合）、検品ジョブ（品質検査）で用いられる検査画像データを取得し、品質検査装置５０の当該異常が解消された場合（すなわち正常状態に復帰した場合）、かかる検査画像データを品質検査装置５０に取得させるように転送する。
【００４５】
本実施の形態では、上述のように、画像形成装置２０の本体内にデータ格納部５２および５３が設けられていることから、品質検査装置５０が正常状態の場合でも検査画像データを常時保存することができる。また、これらデータ格納部５２および５３の容量（リソース）が間もなく一杯になる等の制限に応じて、検査画像データを古い方から削除するようにしてもよい。
【００４６】
他の例として、制御部２００は、取得された検査画像データを品質検査装置５０以外の予め定められた外部端末（例えばネットワーク上のクラウド端末やサーバーなど）に一時的に格納し、品質検査装置５０が復帰した場合、当該検査画像データを品質検査装置５０に転送するように当該外部端末に指示を出力してもよい。かかる構成は、上記のデータ格納部５２および５３の容量に対して検査画像データの容量が大きくなるような場合に好適である。
【００４７】
以下、品質検査装置５０の検品ジョブが異常終了した場合に画像形成装置２０の制御部２００が行う処理の流れの一例について、図４のフローチャートを参照して説明する。図４に示すフローチャートは、品質検査装置５０の検品ジョブが異常終了した場合に検査画像データを外部端末に一時的に格納する場合を例示する。
【００４８】
ステップＳ１００において、画像形成装置２０の制御部２００は、印刷ジョブの実行を開始する。具体的には、制御部２００は、入力画像データに従ったトナー像を現像および中間転写ベルト上に一次転写するように画像形成部２１を制御する。また、制御部２００は、用紙Ｓを機内に給紙するように給紙装置１０を制御し、中間転写ベルト上に１次転写されたトナー像を、当該給紙された用紙Ｓ上に二次転写するように用紙Ｓの搬送を制御する。さらに、制御部２００は、当該用紙Ｓ上のトナー像を定着させるように定着部２２を制御する。
【００４９】
ステップＳ１２０において、制御部２００は、検品ジョブの実行を開始するように品質検査装置５０に指示（ジョブ開始命令）を出力する。このジョブ開始命令を受信した品質検査装置５０は、図３（ステップＳ１０〜Ｓ６０）で上述したように、検品ジョブの実行を開始する。すなわち、品質検査装置５０は、ＰＣ６０から送信されたリファレンスデータと、画像読取装置３０の出力画像読取部３１で生成された読取画像データとを、各々、中継装置８０を介して取得し、読取画像データを対応するリファレンスデータと比較して、画像品質の検査を開始する。
【００５０】
続くステップＳ１４０において、制御部２００は、装置状態判定部２１０（図２参照）として機能する。具体的には、制御部２００は、品質検査装置５０の稼働状態を監視して、検品ジョブが異常終了したか否かを判定する。ここで、制御部２００は、検品ジョブが異常終了した（ステップＳ１４０、ＹＥＳ）と判定されるまでは、品質検査装置が正常に動作している（検品ジョブが正常である）ものとみなして（ステップＳ１４０、ＮＯ）、ステップＳ１４０の判定を繰り返し行う。また、制御部２００は、検品ジョブが異常終了した（ステップＳ１４０、ＹＥＳ）と判定されるまでは（ステップＳ１４０でＮＯと判定された場合は）、データ格納部５２，５３に格納されている検査画像データを適宜削除することができる。
【００５１】
制御部２００は、検品ジョブが異常終了したと判定した場合（ステップＳ１４０、ＹＥＳ）、ステップＳ１６０に移行する。ステップＳ１６０において、制御部２００は、データ格納部５２および５３に格納されている検査画像データ（リファレンスデータおよび読み取り画像データ）を、予め定められた外部端末（例えばネットワークサーバー）に転送し、かかる外部端末の記憶媒体（ＨＤＤ等）に格納するように、当該外部端末に指示を送信する。
【００５２】
また、ステップＳ１６０において、制御部２００は、画像形成部２１で画像が形成された用紙Ｓであって、品質検査装置５０による検品が行われていない用紙Ｓの排出先ないし排出位置を変更する制御を行う。一例では、制御部２００は、当該検品が行われていない用紙Ｓの排出先を第２トレイ（例えば図１の排紙トレイ４３）に設定するとともに、品質検査装置５０による検品ＮＧ（不合格）の場合と区別できるように、排紙トレイ４３上に排出される用紙側端の位置をずらすように、後処理装置４０に指示を出力する。他の例として、より多くの排紙トレイが後処理装置４０に備えられている場合（図１では不図示）、制御部２００は、品質検査装置５０による検品が行われていない用紙Ｓの排出先となる専用の排紙トレイを排出先として指定してもよい。
【００５３】
上記のような構成とすることにより、品質検査装置５０による検品が行われていない用紙Ｓをユーザーが容易に視認することができ、後の作業の効率が向上する。
【００５４】
なお、検品ジョブが異常終了した場合（ステップＳ１４０、ＹＥＳ）において、かかる異常終了の原因が品質検査装置５０の電源ダウンである場合、中継装置８０の構成（接続態様等）によっては、中継装置８０に電源が供給されなくなるケースがあり得る。具体的には、本例のように、中継装置８０が品質検査装置５０の付属装置であるような場合、品質検査装置５０の電源がダウンすると、中継装置８０にも電源が供給されなくなるおそれがある。
【００５５】
そこで、本実施の形態では、制御部２００は、品質検査装置５０の電源がダウンした場合に中継装置８０に電力を供給する電源制御部２３０としての機能を担う。具体的には、制御部２００は、検品ジョブが異常終了した場合（ステップＳ１４０、ＹＥＳ）、かかる異常終了の原因を判別し、かかる原因が品質検査装置５０の電源ダウンである場合、画像形成装置２０に供給されている電力の一部を中継装置８０に供給する制御を行う。
【００５６】
ステップＳ１８０において、制御部２００は、品質検査装置５０の状態を再び監視して、検品ジョブの再開が可能な状態になったか否かを判定する。ここで、制御部２００は、検品ジョブの再開が可能な状態になった（ステップＳ１８０、ＹＥＳ）と判定されるまでは、依然として品質検査装置５０が異常状態である（検品ジョブを再開できない）ものとみなして（ステップＳ１８０、ＮＯ）、ステップＳ１８０の判定を繰り返し行う。また、制御部２００は、検品ジョブの再開が可能な状態になった（ステップＳ１８０、ＹＥＳ）と判定されるまでは（すなわちステップＳ１８０、ＮＯの場合）、上述したステップＳ１６０の処理を続行する。
【００５７】
制御部２００は、検品ジョブの再開が可能な状態になったと判定した場合（ステップＳ１８０、ＹＥＳ）、ステップＳ２００に移行する。
【００５８】
ステップＳ２００において、制御部２００は、中断された検品ジョブを再開させるための処理を実行する。具体的には、制御部２００は、ステップＳ１６０で外部端末に転送した検査画像データを品質検査装置５０に転送するように、当該外部端末に指示（転送命令）を出力する。この検査画像データの転送の処理は、外部端末から品質検査装置５０に直接転送することができ、あるいは、外部端末から画像形成装置２０（制御部２００）を介して品質検査装置５０に転送してもよい。
【００５９】
また、ステップＳ２００において、制御部２００は、中断された検品ジョブを再開するように、品質検査装置５０に指示（ジョブ再開命令）を出力する。
【００６０】
このような処理を行うことにより、種々の異常に起因して品質検査装置５０の検品ジョブが中断された場合に、画像形成装置２０は印刷ジョブを継続して実行することができる。また、検品ジョブが中断された場合に、当該検品ジョブの未処理分に該当する印刷物の検品を、品質検査装置５０が自動で再開することができる。
【００６１】
（変形例）
以下、上述した構成の変形例について説明する。
【００６２】
上述した例は、検品ジョブの未処理分に該当する印刷物の検品を、品質検査装置５０自らが再開する構成例であった。他の例として、検品ジョブの未処理分に該当する印刷物の検品を、品質検査装置５０以外の、画像形成装置２０と通信可能な図示しない他の品質検査装置（第２の品質検査装置）に実行させる（いわば代理させる）構成としてもよい。この場合、制御部２００は、ステップＳ１６０で取得された検査画像データを品質検査装置５０以外の他の品質検査装置に転送して、未処理分の検品ジョブ（図３で上述した品質検査の処理）を実行するように、当該他の品質検査装置に指示（代理実行命令）を出力する。
【００６３】
他の例として、検品ジョブの未処理分に該当する印刷物の検品（図３で上述した品質検査の処理）を、画像形成装置２０で行う（代理で実行する）ようにしてもよい。一具体例として、画像形成装置２０の制御部２００は、本体ジョブ（すなわち印刷）で使用するハードウェア資源の制御のリソースの一部を検品ジョブに割り当てることで、本体ジョブと検品ジョブを同時並行的に行う。ここで、検品ジョブを行う制御部２００のリソースは、図２に示す検査結果判定部２２０の機能を担う。すなわち、検査結果判定部２２０は、図３で上述したステップＳ１０〜ステップＳ６０の処理を実行し、検査結果に応じた用紙Ｓの排出先（排紙トレイ４２または４３の別）を後処理装置４０に通知する。あるいは他の具体例として、制御部２００とは別に、検品ジョブの未処理分に該当する印刷物の検品（ステップＳ１０〜ステップＳ６０の処理）を行うための専用のプロセッサーを画像形成装置２０内に設け、かかるプロセッサーで検品ジョブを実行してもよい。
【００６４】
なお、本体ジョブで使用する制御のリソースの一部を検品ジョブに割り当てて、本体ジョブと検品ジョブを制御部２００で同時並行的に行う構成では、印刷内容によっては、制御部２００の処理負担が過大となり、検品終了までの時間が肥大化する場合があり得る。したがって、かかる構成の場合、制御部２００は、品質検査装置５０が異常終了した場合（ステップＳ１４０、ＹＥＳ）、当該異常の発生をユーザーに通知し、品質検査装置５０の当該異常が解消された（すなわち正常状態に復帰した）後に当該検品ジョブを再開する検品待機モード（第１処理）と、画像形成装置２０内で検品ジョブ（品質検査の処理）を継続する検品継続モード（第２処理）と、のいずれの処理を行うかをユーザーが選択できるように操作表示部に表示する処理を行うことが好ましい。この場合、制御部２００は、ユーザーの選択操作に応じて、第１処理と第２処理とのいずれかの処理を実行する。ここで、ユーザーによって第１処理が選択された場合、制御部２００は、図４で上述したステップＳ１６０〜ステップＳ２００の処理を実行する。他方、ユーザーによって第２処理が選択された場合、制御部２００は、ステップＳ１６０〜ステップＳ２００の処理を実行しつつ、検査結果判定部２２０の機能により、図３のステップＳ１０〜ステップＳ６０の処理を実行する。
【００６５】
このように、本実施の形態によれば、品質検査装置５０の異常に起因して検品ジョブが中断された場合に、画像形成装置２０での印刷処理を続行しつつ、検品ジョブの中断後に印刷された出力物についての検品ジョブの再開を少ない労力で再開させることができる。
【００６６】
上記実施の形態では、パーソナルコンピューターなどの外部装置から受信される画像データに基づいて画像形成する画像形成装置２０を使用したシステムについて説明したが、これに限られない。画像形成装置２０は、図示しないＡＤＦ（Auto Document Feeder）などの自動原稿給紙装置および原稿画像走査装置（スキャナー）等を備える構成としてもよい。
【００６７】
上記実施の形態では、給紙装置１０、画像読取装置３０、後処理装置４０が画像形成装置２０に対して別体の装置である例を説明したが、これらの装置が一体化されていてもよいことは勿論である。
【００６８】
また、上記実施の形態では、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６９】
１  画像形成システム
１０  給紙装置
２０  画像形成装置
２１  画像形成部
２２  定着部
３０  画像読取装置
３１  出力画像読取部
４０  後処理装置
４１  仕分け部
４２，４３  排紙トレイ
５０  品質検査装置
６０  ＰＣ
５１，５２，５３  データ格納部
８０  中継装置
２００  制御部
２１０  装置状態判定部
２２０  検査結果判定部
２３０  電源制御部
【図１】
2019202485.tif 000003
【図２】
2019202485.tif 000004
【図３】
2019202485.tif 000005
【図４】
2019202485.tif 000006